(57)【要約】【課題】耐ノック性及び始動性を向上させる。【解決手段】ノルマルパラフィン系及び／又はイソパラフィン系を主成分とした燃料種と、下記一般式（Ａ）で表されるフラン化合物とを含有し、前記フラン化合物の体積混合割合はｘ１＜ｘ＜ｘ２（ｘ１：オクタン価が８９以上となる前記フラン化合物の最小混合割合［体積％］、ｘ２：フラン化合物を含有した場合にフラン化合物を含有しない場合よりも吸気温度の低下幅が１０℃以上となる前記フラン化合物の混合割合［体積％］）の関係を満たす。 2009108129.tif 000014【選択図】なし【特許請求の範囲】
【請求項１】
ノルマルパラフィン系及び／又はイソパラフィン系を主成分とした燃料種と、下記一般式（Ａ）で表されるフラン化合物とを含有し、前記フラン化合物の体積混合割合が下記式（１）を満たす燃料。
【数１】
2009108129.tif 000010
ｘ１：オクタン価が８９以上となる前記フラン化合物の最小混合割合［体積％］
ｘ２：フラン化合物を混合した場合にフラン化合物を混合しない場合よりも吸気温度の低下幅が１０℃以上となる前記フラン化合物の混合割合［体積％］
【化１】
2009108129.tif 000011
〔Ｒ１、Ｒ２、Ｒ３、及びＲ４は、各々独立に、水素原子、直鎖もしくは分岐のアルキル基、又はアルデヒド基を表す。〕
【請求項２】
前記ｘ１は、下記式（２）により求められるオクタン価〔ｆ１（ｘ）〕で表されることを特徴とする請求項１に記載の燃料。
【数２】
2009108129.tif 000012
ｘ：前記フラン化合物の体積混合割合［体積％］
ｙ：前記フラン化合物を混合する前の前記燃料種のオクタン価
ｚ：前記フラン化合物を混合する前の前記燃料種中におけるノルマルパラフィン系及び／又はイソパラフィン系の体積混合割合［体積％］
Ａ１，Ａ２，Ａ３，Ｂ１，Ｂ２，Ｂ３：フラン化合物の混合により定まる値
Ｃ：フラン化合物単体のオクタン価
【請求項３】
前記ｘ２は、下記式（３）により求められる吸気温度の低下幅〔ｆ２（ｘ）〕で表されることを特徴とする請求項１又は請求項２に記載の燃料。
【数３】
2009108129.tif 000013
ｇ（０）：フラン化合物を混合する前の燃料種による吸気の低下温度［℃］
ｘ：前記フラン化合物の体積混合割合［体積％］
ａ１：前記フラン化合物の潜熱［ｋＪ／ｋｇ］
ｂ１：前記フラン化合物の密度［ｋｇ／ｍ３］
ｃ１：前記フラン化合物の理論空燃費
ａ２：前記フラン化合物を混合する前の前記燃料種の潜熱［ｋＪ／ｋｇ］
ｂ２：前記フラン化合物を混合する前の前記燃料種の密度［ｋｇ／ｍ３］
ｃ２：前記フラン化合物を混合する前の前記燃料種の理論空燃費
ｄ：空気の比熱［Ｊ／ｇ・Ｋ］
【発明の詳細な説明】
【技術分野】
【０００１】
本発明は、火花点火機関等の内燃機関などに好適に用いることができる燃料に関する。
【背景技術】
【０００２】
火花点火機関においては、使用する燃料のオクタン価（耐ノック性を示す数値）が重要なパラメータとなっており、高オクタン価の燃料を用いることで、ノックの制約を受けずに点火時期がＭＢＴ（最大トルクを発生する最小進角）の領域で運転でき、高効率、高出力化が可能となる。
【０００３】
従来は、市販のプレミアムガソリン等にみられるように、トルエンなどの芳香族化合物の割合を増したり、ＭＴＢＥ（メチルターシャルブチルエーテル）を混合する等により高オクタン価燃料が作製されてきた。ところが、トルエンなどの芳香族化合物は、原油成分から誘導される比較的高価な芳香族炭化水素であり、また、燃焼時のＣＯやＮＯｘ、ＨＣが増加することが懸念されている。また、ＭＴＢＥは、土壌汚染の問題を招来することから現在では使用されていない。
【０００４】
バイオマス誘導燃料であるエタノールもオクタン価向上剤として用いられるものの、エタノールは水分の混合により相分離が発生しやすく、ガソリンの品質を低下させる、あるいは潜熱が大きいため低温時に燃料が充分に気化せずに始動性を悪化させるといった問題がある。
【０００５】
これら以外に、例えば、市販のガソリンに対してアルキニルアルコールやフラン等の有機化合物を混合した火花点火機関用燃料油組成物が開示されている（例えば、特許文献１参照）。ここでは、点火性の向上と火炎伝播速度の上昇が図られるとされており、火炎伝播速度の上昇によりオクタン価も向上する。
【０００６】
また、炭素数４〜１２のオレフィン系炭化水素等を５０〜９５容量％含有し、炭素数１〜８の含酸素炭化水素を５〜５０容量％含有してなるガソリン組成物が開示されており（例えば、特許文献２参照）、含酸素炭化水素として、アルコール類やエーテル類、フラン等が挙げられている。
【特許文献１】特開平５−３２９８１号公報
【特許文献２】特開平６−３１３１７８号公報
【発明の開示】
【発明が解決しようとする課題】
【０００７】
しかし、上記のように市販のガソリンに有機化合物を混合しただけの火花点火機関用燃料油組成物では、元々オクタン価の高い市販の燃料（ガソリン）に混合するため、それ程大きな効果は期待できない。また、フラン系の化合物は蒸発潜熱が大きいことから、フラン系化合物の混合割合が大きくなると、エタノールの場合と同様に、低温時の始動性を悪化させてしまう。
【０００８】
その一方で、フラン系化合物のように蒸発潜熱の大きい化合物の混合は、蒸発潜熱による筒内に吸入される吸入空気（吸気）の冷却が可能であり、吸気温度の低下はノックを起こし難くすることから、適度に吸気を冷却するように制御することは、耐ノック性を向上させる方法の１つとなる。
【０００９】
また、一般にパラフィン系の燃料、特にノルマルパラフィン系の燃料の場合、生産量は多く比較的安価であるものの、オクタン価が低いため、パラフィン系の燃料を用いた組成ではオクタン価を上げる技術が不可欠である。さらに、上記のように併用する化合物の潜熱の影響など、オクタン価向上効果が損なわれないための考慮も必要とされる。
【００１０】
本発明は、上記に鑑みなされたものであり、耐ノック性及び（特に低温環境下での）始動性の良好な燃料を提供することを目的とし、該目的を達成することを課題とする。
【課題を解決するための手段】
【００１１】
本発明は、フラン系化合物を用いて高オクタン価（耐ノック性向上）を実現しようとする場合に、フラン系化合物の蒸発潜熱を考慮して吸気冷却の効果を適度に利用するように組成することが、オクタン価（耐ノック性）の向上と始動性の安定化の点で有効であるとの知見を得、かかる知見に基づいて達成されたものである。
【００１２】
上記目的を達成するために、本発明の燃料は、ノルマルパラフィン系及び／又はイソパラフィン系を主成分とした燃料種と、下記一般式（Ａ）で表されるフラン化合物（酸素原子及び不飽和５員環エーテル構造を有する炭化水素）とを含有し、前記フラン化合物の体積混合割合（ｘ）が下記式（１）を満たす範囲となる構成としたものである。
【００１３】
【数１】
2009108129.tif 000002
【００１４】
前記式（１）において、ｘ１は、オクタン価が８９以上となる前記フラン化合物の最小混合割合［体積％］を表し、ｘ２は、フラン化合物を混合した場合にフラン化合物を混合しない場合よりも吸気温度の低下幅が１０℃以上となる前記フラン化合物の混合割合［体積％］を表す。
【００１５】
【化１】
2009108129.tif 000003
【００１６】
前記一般式（Ａ）において、Ｒ１、Ｒ２、Ｒ３、及びＲ４は、各々独立に、水素原子、直鎖もしくは分岐のアルキル基、又はアルデヒド基を表す。
【００１７】
本発明の燃料においては、フラン構造を持つ炭化水素の混合を所定の体積混合割合（ｘ）の範囲で行なうことで、燃料のオクタン価を高めると同時に、その潜熱で燃料が気化する際に筒内に吸入される空気の冷却が行なえるので、耐ノック性を効果的に向上させることができ、しかもその冷却を体積混合割合の範囲内で制御するので、冷却され過ぎてクランキングの時間が長くなることがなく、良好な始動性、特に低温環境下での始動性を保つことができる。
【００１８】
本発明の燃料において、オクタン価は下記式（２）により求められるｆ１（ｘ）で決まり、前記式（１）におけるｘ１を、このｆ１（ｘ）の値を用いて決定することができる。
【００１９】
【数２】
2009108129.tif 000004
【００２０】
前記式（２）において、ｘ、ｙ、ｚ、Ａ１〜Ａ３、Ｂ１〜Ｂ３、Ｃは、それぞれ
ｘ：前記フラン化合物の体積混合割合［体積％］、
ｙ：前記フラン化合物を混合する前の前記燃料種のオクタン価、
ｚ：前記フラン化合物を混合する前の前記燃料種中におけるノルマルパラフィン系及び／又はイソパラフィン系の体積混合割合［体積％］、
Ａ１，Ａ２，Ａ３，Ｂ１，Ｂ２，Ｂ３：フラン化合物の混合により定まる値
Ｃ：フラン化合物単体のオクタン価
を表す。
【００２１】
前記式（２）によりフラン化合物の体積混合割合ｘの下限ｘ１を決定することにより、混合する燃料種の組成やオクタン価との間で必要もしくは許容される混合量を決定でき、オクタン価を８９以上に保った燃料が得られる。これにより、耐ノック性の向上効果が得られる。
【００２２】
本発明の燃料において、吸気温度の低下幅は、温度変化を表す下記式ｇ（ｘ）を用いた下記式（３）により求められるｆ２（ｘ）で決まり、前記式（１）におけるｘ２を、このｆ２（ｘ）の値を用いて決定することができる。
【００２３】
【数３】
2009108129.tif 000005
【００２４】
前記式（３）において、ｇ（０）、ｘ、ａ１、ｂ１、ｃ１、ａ２、ｂ２、ｃ２、及びｄはそれぞれ、
ｇ（０）：フラン化合物を含有する前の燃料種による吸気の低下温度［℃］、
ｘ：前記フラン化合物の体積混合割合［体積％］、
ａ１：前記フラン化合物の潜熱［ｋＪ／ｋｇ］、
ｂ１：前記フラン化合物の密度［ｋｇ／ｍ３］、
ｃ１：前記フラン化合物の理論空燃費、
ａ２：前記フラン化合物を混合する前の前記燃料種の潜熱［ｋＪ／ｋｇ］、
ｂ２：前記フラン化合物を混合する前の前記燃料種の密度［ｋｇ／ｍ３］、
ｃ２：前記フラン化合物を混合する前の前記燃料種の理論空燃費、
ｄ：空気の比熱［Ｊ／ｇ・Ｋ］、
を表す。
【００２５】
前記式（３）によりフラン化合物の体積混合割合ｘの上限ｘ２を決定することにより、混合する燃料種とフラン化合物との組合せに応じて、フラン化合物を混合した場合にフラン化合物を混合しない場合より低下する吸気温度（吸入される空気の温度）の低下幅を１０℃までに留め得る混合量を決定でき、低温時でもクランキング時間が長くならず、ひいては始動性を損なわず、フラン化合物の混合によるオクタン価向上効果も図れる燃料が得られる。
【００２６】
本発明の燃料は、ノックの発生、低温時のクランキングの発生及び発生時間が抑制され、耐ノック性及び始動性に優れた火花点火機関をはじめとする内燃システムを構築することができる。
【発明の効果】
【００２７】
本発明によれば、耐ノック性及び（特に低温環境下での）始動性の良好な燃料を提供することができる。
【発明を実施するための最良の形態】
【００２８】
以下、本発明の燃料について詳細に説明する。
本発明の燃料は、ノルマルパラフィン系及び／又はイソパラフィン系を主成分として含む燃料種と、以下に示す一般式（Ａ）で表されるフラン化合物とを含有し、前記フラン化合物の体積混合割合が下記式（１）を満たすように構成されたものである。
【００２９】
【数４】
2009108129.tif 000006
ｘ１：オクタン価が８９以上となるフラン化合物の最小混合割合［体積％］
ｘ２：フラン化合物を混合した場合にフラン化合物を混合しない場合よりも吸気温度の低下幅が１０℃以上となるフラン化合物の混合割合［体積％］
【００３０】
一般にパラフィン系の燃料Ａにこれとは異なるパラフィン系の燃料Ｂを混合しても、混合物のオクタン価はそれぞれのオクタン価と混合割合とから線形的に決まる。しかし、図１に示すように、燃料Ａに燃料Ｂとオクタン価が等しいフラン構造を持つフラン系炭化水素Ｃを混合するとオクタン価が線形的に決まらず、フラン系炭化水素Ｃを混合した方が、燃料Ｂを混合した場合よりオクタン価が大きくなる。また、燃料Ａとオクタン価が等しいがパラフィン系の燃料の割合の少ない燃料Ｄに対してフラン系炭化水素Ｃを混合した場合、オクタン価の向上効果は燃料Ｂを混合した場合よりは大きいものの、燃料Ａにフラン系炭化水素Ｃを混合した場合より小さく、パラフィン系の燃料の割合が多い燃料に対してフラン系炭化水素を混合することでオクタン価の向上効果が大きくなり、耐ノック性をより向上させることができる。
その一方、オクタン価の向上する度合いをオクタン価向上度とし、オクタン価を燃料Ｂ又はフラン系炭化水素Ｃの混合割合により微分した値と定義すると、図２に示すように、燃料Ｂ又はフラン系炭化水素Ｃの混合割合が一定の値を超えた範囲では、フラン系炭化水素Ｃのオクタン価向上度は燃料Ｂのオクタン価向上度を下回る傾向にある。したがって、所定の混合割合でフラン系炭化水素Ｃを混合することがオクタン価の向上に有効である。
また、フラン構造を持つフラン系炭化水素は潜熱が大きいため、燃料が気化する際に筒内に吸入される空気の冷却が可能であり、この冷却効果によりノック抑制効果を高めることができる。その一方、フラン系炭化水素の混合割合が多くなって冷却効果が大きくなり過ぎると、低温時にクランキングの時間が長くなり始動性が悪化する傾向がある。そのため、所定の混合割合でフラン系炭化水素Ｃを混合することが始動性の安定化の点で有効である。
【００３１】
以上のように、本発明の燃料においては、フラン構造を持つフラン化合物の混合を所定の体積混合割合（ｘ）の範囲で行なうことで、燃料のオクタン価の向上効果が高められると同時に、その潜熱で燃料が気化する際の吸入空気（吸気）の冷却が行なえるので、耐ノック性を効果的に向上させることができる。しかも、その冷却は体積混合割合の範囲内に抑えられるので、冷却され過ぎてクランキングの時間が長くなることがなく、良好な始動性、特に低温環境下での始動性を保つことができる。
【００３２】
本発明の燃料においては、上記のように、燃料種と併用するフラン化合物の体積混合割合ｘをｘ１＜ｘ＜ｘ２の範囲とする。体積混合割合ｘは、オクタン価が８９以上となるフラン化合物の最小混合割合ｘ１以下であると、オクタン価が基準値とすべき８９を下回ってしまい、耐ノック性が悪くなる。また、体積混合割合ｘがｘ２以上になると、燃料が気化する際に吸入される空気の温度（吸気温度）がフラン化合物を混合しない場合に比べて１０℃以上低下し、冷却効果が大き過ぎて低温時のクランキング時間が長くなり、更にはフラン化合物の混合によるオクタン価向上効果も低下するため、始動性（特に低温環境下での始動性）が悪化する。
【００３３】
前記式（１）中の最小混合割合ｘ１は、下記式（２）により求められるｆ１（ｘ）で決定することができる。
【数５】
2009108129.tif 000007
【００３４】
前記式（２）において、ｘは、燃料中に混合されるフラン化合物の体積混合割合［体積％］を表す。ｙは、燃料中にフラン化合物を混合する前の燃料種のオクタン価を表し、複数種を混合した組成の場合は、混合状態でのオクタン価を表す。ｚは、燃料中にフラン化合物を混合する前の燃料種中におけるノルマルパラフィン系及び／又はイソパラフィン系の体積混合割合［体積％］を表す。
また、前記式（２）中のＡ１，Ａ２，Ａ３，Ｂ１，Ｂ２，及びＢ３は、各々、フラン化合物の混合により定まる値を表し、具体的には、燃料種へのフラン化合物の混合により得られたオクタン価向上効果を２次曲線で近似することにより求まるパラメータであり、Ｃはフラン化合物単体のオクタン価を表す。
【００３５】
ここで、Ａ１，Ａ２，Ａ３，Ｂ１，Ｂ２，及びＢ３の算出例を以下に略説する。
ノルマルパラフィン系又はイソパラフィン系１００％の燃料種にフラン化合物を混合した場合のオクタン価は２次曲線で近似できる。このとき、元のオクタン価が異なる３つの燃料種を用いた場合、これらの燃料種から３つの式ができ、それぞれ次の通りとなる。尚、下記式中、xはフラン化合物の混合割合、yはフラン化合物混合後のオクタン価を表す。
y＝α1(x/100)2+β1(x/100)+γ1
y＝α2(x/100)2+β2(x/100)+γ2
y＝α3(x/100)2+β3(x/100)+γ3
上記式の各係数を一般化すると、γはフラン化合物混合前のオクタン価となる。また、α、βは、実験点の近似式から求められ、図６に示す２−メチルフランの場合（点：実験値、実線：近似曲線）、次の値となる。
α1＝-90.7、β1＝103、α2＝-93.9、β2＝116、α3＝-109、β3＝150.9
このとき、α及びβもγの関係で表すと、２次関数で近似できる。
α＝Ａ１γ２＋Ａ２γ＋Ａ３、β＝Ｂ１γ２＋Ｂ２γ＋Ｂ３
特に２−メチルフランの場合、図７及び図８のようになり、Ａ，Ｂは次の値になる。
Ａ１＝−０．０１４４８、Ａ２＝２．７７９、Ａ３＝２２３．５、Ｂ１＝０．０１４８３、Ｂ２＝−３．８３２、Ｂ３＝３２７．４
従って、これを一般化して前記式（２）を用いてオクタン価を表すと、下記式Ａが得られる。
f1(x) ＝(A1y2+A2y+A3)(x/100)2+ (B1y2+B2y+B3)(x/100) + y  ・・・式Ａ
特に２−メチルフランの場合、次のようになる。
f1(x) ＝(-0.01448y2+2.779y-223.5)(x/100)2+(0.01483y2-3.832y+327.4)(x/100)+y
ここまでは、元の燃料種がパラフィン系又はイソパラフィン系のみの場合であり、元の燃料種にパラフィン系又はイソパラフィン系以外の燃料種が混合されている場合は、フラン化合物によるオクタン価向上効果は小さくなりやすい。パラフィン系又はイソパラフィン系がない場合は、オクタン価は元の燃料種のオクタン価とフラン化合物単体のオクタン価との平均で決まり、そのときのオクタン価は下記式Ｂのようになる。
f1(x) ＝y(100-x)/100 + C(x/100)   ・・・式Ｂ
特に２−メチルフランの場合、単体のオクタン価１０２より次のようになる。
f1(x) ＝y(100-x)/100 + 102(x/100)
一方、パラフィン系の割合がｚの場合、パラフィン系のみの場合のオクタン価とパラフィン系がない場合のオクタン価との平均で決まる。従って、前記式Ａ及び式Ｂを用いて、フラン化合物を混合した場合のオクタン価は下記式Ｃのようになる。
f1(x) ＝ {(A1y2+A2y+A3)(x/100)2+(B1y2+B2y+B3)(x/100)+y}(z/100) + {y((100-x)/100)+C(x/100)}((100-z)/100)  ・・・式Ｃ
特に２−メチルフランの場合、次のようになる。
f1(x) ＝ {(-0.01448y2+2.779y-223.5)(x/100)2+(0.01483y2-3.832y+327.4)(x/100)+y}(z/100)+{y((100-x)/100)+102(x/100)}((100-z)/100)
【００３６】
上記において、ｆ１（ｘ）は、いわゆるレギュラーガソリンのオクタン価８９を超える割合、好ましくはいわゆるプレミアムガソリンのオクタン価９６を超える割合を基準とし、前記式（２）から算出されるｆ１（ｘ）の値をこの基準に照らして最小の混合割合を決定することができる。
【００３７】
すなわち、ｆ１（ｘ）の値が９６を超える最小の混合割合をｘ１ａ、ｆ１（ｘ）の値が８９を超える最小の混合割合をｘ１ｂとした場合、前記式（１）において、体積混合割合ｘは、ｘ＞ｘ１ａの範囲が好ましく、少なくともｘ＞ｘ１ｂの範囲でフラン化合物を混合するとオクタン価の点で向上効果が得られる。
【００３８】
次に、前記式（１）中の混合割合ｘ２は、下記式（３）により求められるｆ２（ｘ）で決定することができる。
【００３９】
【数６】
2009108129.tif 000008
【００４０】
前記式（３）において、ｇ（ｘ）は、フラン化合物を混合した燃料の潜熱による吸気の低下温度［℃］を表し、ｇ（０）はフラン化合物を混合する前の燃料種による吸気の低下温度［℃］であり、フラン化合物の割合（ｘ）が０（ゼロ）のときを意味する。つまり、ｆ２（ｘ）は、フラン化合物の混合による冷却を考慮して決定されるものであり、フラン化合物を混合したことによってフラン化合物を混合していない場合より低下する吸気温度の低下幅を表す。
また、式（３）において、ｘは、燃料中に混合されるフラン化合物の体積混合割合［体積％］を表し、ａ１はフラン化合物の潜熱［ｋＪ／ｋｇ］を、ｂ１はフラン化合物の密度［ｋｇ／ｍ３］を、ｃ１はフラン化合物の理論空燃費を表す。また、ａ２はフラン化合物を混合する前の燃料種の潜熱［ｋＪ／ｋｇ］を、ｂ２はフラン化合物を混合する前の燃料種の密度［ｋｇ／ｍ３］を、ｃ２はフラン化合物を混合する前の燃料種の理論空燃費を表す。ｄは、空気の比熱［Ｊ／ｇ・Ｋ］を表す。
【００４１】
なお、フラン化合物として複数種を併用する場合、フラン化合物の潜熱、密度、理論空燃比はそれぞれ、複数種のフラン化合物の混合状態での潜熱、密度、理論空燃比を表す。また、燃料種が複数種の混合である場合、燃料種の潜熱、密度、理論空燃比はそれぞれ、複数種のフラン化合物の混合状態での潜熱、密度、理論空燃比を表す。
【００４２】
本発明におけるフラン化合物及び燃料種の潜熱は、沸点における単位質量の液体を同温度の気体に変えるときに加えた熱量を測定することにより求められる値である。
本発明におけるフラン化合物、及びフラン化合物を混合する前の燃料種の密度は、それぞれ計算により求められる値である。
本発明におけるフラン化合物の理論空燃費は、空気中の酸素と燃料中のフラン化合物が過不足なく反応したときの空燃比（空気質量をフラン化合物の質量で除算したもの）であり、また、燃料種の理論空燃費は空気中の酸素と燃料種が過不足なく反応したときの空燃比（空気質量を燃料種質量で除算したもの）であり、いずれも算術により求められる値である。
【００４３】
フラン化合物は、潜熱が大きいため、燃料に混合することで吸気温度が低下し、耐ノック性を向上させるが、混合割合が大きすぎると低温始動性を悪化させるため、吸気温度の低下幅が１０℃となる混合割合をｘ２ｂ、吸気温度の低下幅が５℃となる混合割合をｘ２ａとした場合、前記式（１）において、体積混合割合ｘは、ｘ＜ｘ２ａの範囲が好ましく、少なくともｘ＜ｘ２ｂの範囲でフラン化合物を混合すると吸気温度の過低下防止の点で効果が得られる。
【００４４】
以上の式（１）〜式（３）から、体積混合割合ｘは、ｘ１ｂ＜ｘ＜ｘ２ｂの範囲が好ましく、より好ましくはｘ１ａ＜ｘ＜ｘ２ａの範囲とすることにより、フラン化合物を混合することによるオクタン価向上が図られ、低温始動性を大きく悪化させずに吸気温度を低下させることができ、耐ノック性をより向上させることができる。
【００４５】
ここで、本発明の燃料を構成する燃料種及びフラン化合物について詳述する。
（燃料種）
本発明の燃料は、ノルマルパラフィン系の少なくとも一種及び／又はイソパラフィン系の少なくとも一種を主成分とした燃料種を含有する。なお、「主成分」とは、燃料種中に占める割合が３０容量％以上であることをさす。
【００４６】
前記ノルマルパラフィン系の燃料種は、直鎖状の分子構造を有する飽和直鎖炭化水素（ノルマルアルカン）であり、例えば、ノルマルヘプタン、ノルマルオクタン、ノルマルノナン、ノルマルデカン、ノルマルウンデカン、ノルマルドデカン、ノルマルトリデカン、ノルマルブタン、ノルマルペンタン、ノルマルヘキサン等が挙げられる。
【００４７】
前記イソパラフィン系の燃料種は、分岐状の分子構造を有する飽和分岐炭化水素であり、例えば、２−メチルヘキサン、２−メチルヘプタン、２−メチルオクタン、２−メチルノナン、２−メチルデカン、２−メチルウンデカン、２，２，４−トリメチルペンタン等が挙げられる。
【００４８】
ノルマルパラフィン系、イソパラフィン系の燃料からの分類については、分離、定量が難しいが、例えば、分岐パラフィンとノルマルパラフィンとに分離するガスクロ法（但し、分岐パラフィン及びノルマルパラフィンのみからなる燃料の場合）や、オレフィンを含む場合はオレフィンと他の炭化水素とに分離する日本石油学会が開発したＨＰＬＣ法、電場イオン化質量分析法、などにより行なえる。
【００４９】
後述のフラン化合物を混合する前の燃料種（二種以上混合の場合は混合状態の燃料）のオクタン価の範囲としては、５０〜８０が好ましく、５０〜７０がより好ましい。燃料種のオクタン価は前記範囲内であると、燃料種自体のオクタン価がそれ程高くなくても、フラン化合物との混合による効果、特に耐ノック性及び低温始動性の向上効果をより高めることができる。なお、オクタン価は、常法により求められる。
【００５０】
後述のフラン化合物を混合する前の燃料種（二種以上混合の場合は混合状態の燃料）の潜熱の範囲としては、２００〜３００［ｋＪ／ｋｇ］が好ましく、２５０〜３００［ｋＪ／ｋｇ］がより好ましい。燃料種の潜熱が前記範囲内であると、フラン化合物による冷却効果が大きくかつ単位質量当たりの冷却効果が大きい点で有利である。
【００５１】
燃料種の燃料中における含有割合としては、燃料の全体積に対して、７０〜９５体積％が好ましく、８５〜９５体積％がより好ましい。燃料種の含有割合が前記範囲内であると、耐ノック性を効果的に向上でき、始動性を悪化させない点で有利である。
【００５２】
（フラン化合物）
本発明の燃料は、下記一般式（Ａ）で表されるフラン化合物の少なくとも一種を含有する。このフラン化合物は、構造中に酸素原子と不飽和５員環エーテル構造とを有する炭化水素である。
【００５３】
【化２】
2009108129.tif 000009
【００５４】
前記一般式（Ａ）において、Ｒ１、Ｒ２、Ｒ３、及びＲ４は、各々独立に、水素原子、直鎖もしくは分岐のアルキル基、又はアルデヒド基を表す。
【００５５】
Ｒ１〜Ｒ４で表される「直鎖もしくは分岐のアルキル基」は、直鎖状もしくは分岐状のいずれであってもよく、炭素数１〜２のアルキル基が好ましい。アルキル基の例としては、メチル基、エチル基などが挙げられる。中でも、特にメチル基が好ましい。
【００５６】
中でも、前記一般式（Ａ）において、Ｒ１、Ｒ２、Ｒ３、及びＲ４が、各々独立に、水素原子、メチル基、エチル基を表す場合がより好ましい。
更には、前記一般式（Ａ）は、Ｒ１がメチル基であって、Ｒ２が水素原子であって、Ｒ３が水素原子であって、及びＲ４が水素原子である場合が好ましい。
【００５７】
前記一般式（Ａ）で表されるフラン化合物の具体例としては、２−メチルフラン、フラン、２，５−ジメチルフラン、フルフラールなどを挙げることができる。
【００５８】
フラン化合物の潜熱（二種以上を併用する場合は混合状態での潜熱）としては、３００〜５００ｋＪ／ｋｇの範囲が好ましく、３００〜４００ｋＪ／ｋｇの範囲がより好ましい。フラン化合物の潜熱が前記範囲内であると、吸気を冷やしすぎることのない範囲で効果的にオクタン価を向上させることができる点で有利である。
【００５９】
フラン化合物の燃料中における含有割合としては、燃料の全体積に対して、５〜３０体積％が好ましく、５〜２０体積％がより好ましい。フラン化合物の含有割合が前記範囲内であると、耐ノック性を効果的に向上でき、しかも潜熱で冷却され過ぎてクランキングの時間が長くなることがなく、良好な始動性、特に低温環境下での始動性を得ることができる。
【００６０】
また、本発明の燃料には、本発明の効果を損なわない範囲で、前記燃料種及び前記一般式（Ａ）で表されるフラン化合物以外に、必要に応じて、オレフィン、アロマ、シクロアルカン、酸化防止剤、洗浄剤などの他の成分を混合してもよい。
【００６１】
以下、フラン化合物の体積混合割合が既述の式（１）を満たす本発明の燃料について、フラン化合物として２−メチルフランを用いた場合を一例に具体的に説明する。
【００６２】
２−メチルフランを用いた場合、前記式（２）で表されるオクタン価ｆ１（ｘ）は次のようになる。
ｆ１（ｘ）＝｛（−０．０１４４８ｙ２＋２．７７９ｙ−２２３．５）（ｘ／１００）２＋（０．０１４８３ｙ２−３．８３２ｙ＋３２７．４）（ｘ／１００）＋ｙ｝（ｚ／１００）＋｛ｙ（（１００−ｘ）／１００）＋１０２（ｘ／１００）｝（（１００−ｚ）／１００）
ここで、ｘ、ｙ、ｚは、下記の通りである。
ｘ：２−メチルフランの体積混合割合［体積％］
ｙ：２−メチルフランを混合する前の燃料種のオクタン価
ｚ：２−メチルフランを混合する前の燃料種中におけるノルマルパラフィン系及び／又はイソパラフィン系の体積混合割合［体積％］
【００６３】
燃料種として、オクタン価６０のパラフィン系１００％燃料（燃料１）、オクタン価８０のパラフィン系１００％燃料（燃料２）、オクタン価９０のパラフィン系１００％燃料（燃料３）、及びオクタン価９０のパラフィン系４６％燃料（燃料４）を準備し、それぞれに２−メチルフランを混合したときのオクタン価を図３に示す。図３は、実験値と計算値（理論値）を示すものであるが、計算値は実験値とほぼ一致している。
【００６４】
このとき、上記したように、オクタン価としてはプレミアムガソリンのオクタン価９６を超える場合、又はレギュラーガソリンのオクタン価８９を超える場合が基準になり、これにより最小の混合割合が決定される。すなわち、ｆ１（ｘ）が９６を超える最小混合割合をｘ１ａとし、８９を超える最小混合割合をｘ１ｂとすると、２−メチルフランの体積混合割合ｘは、好ましくはｘ＞ｘ１ｂの範囲、より好ましくはｘ＞ｘ１ａの範囲でフラン化合物を混合することによりオクタン価の向上効果が得られる。具体的には、図３から、例えば燃料２の場合、ｘ＞８．３（ｘ１ｂ）の範囲が好ましく、より好ましくはｘ＞１５．９（ｘ１ａ）の範囲である。
【００６５】
また、２−メチルフランは潜熱が大きいため、燃料種と混合することにより吸気温度が低下し、耐ノック性を向上させ得る一方、混合割合が多すぎることによる低温始動性の悪化を防ぐため、  ２−メチルフランを用いた場合、前記式（３）で表されるオクタン価ｆ２（ｘ）は次のようになる。
【００６６】
ｆ２（ｘ）＝ｇ（ｘ）−ｇ（０）  ・・・（３）
ｇ（ｘ）＝｛３４０×０．０００９１ｘ＋２７０×０．０００６９（１００−ｘ）｝／［ ０．７１７｛１０×０．０００９１ｘ＋１５×０．０００６９（（１００−ｘ）／１００）｝］
【００６７】
ここで、上記の燃料種のうち、２−メチルフラン混合前の燃料種がイソオクタン８０体積％及びノルマルへプタン２０体積％である燃料２（オクタン価８０）について、２−メチルフランを混合したときの、２−メチルフランの混合割合に対する吸気温度ｆ２（ｘ）の変化を図４に示す。また、吸気温度の低下とクランキング時間との関係を図５に示す。
【００６８】
図５に示すように、通常環境の場合は、吸気温度がフラン化合物を含有しない通常の火花点火機関用の燃料使用時よりも１０℃低下するのみであれば、低温始動性限界を下回らず、低温始動性に大きな支障を来すことはなく、冬季（気温５℃程度）でも、吸気温度がフラン化合物を含有しない通常の火花点火機関用の燃料使用時よりも５℃低い程度であれば、低温始動性に大きな支障はないものと考えられる。このようにして、２−メチルフランの体積混合割合ｘの上限ｘ２を、図４から１０℃低下したときと５℃低下したときの混合割合を読み取って決定することができる。このとき、フラン化合物を混合した場合にフラン化合物を混合しない場合よりも吸気温度の低下幅ｆ２（ｘ）が５℃となる混合割合をｘ２ａ、吸気温度ｆ２（ｘ）が１０℃となる混合割合をｘ２ｂとすると、２−メチルフランの体積混合割合ｘは、好ましくはｘ＜ｘ２ｂの範囲、より好ましくはｘ＜ｘ２ａの範囲で、フラン化合物を混合したときの吸気温度の低下による耐ノック性の向上効果が得られる。具体的には、図４から、例えば燃料２の場合、ｘ＜４８．０（ｘ２ｂ）の範囲が好ましく、より好ましくはｘ＜２４．７（ｘ２ａ）の範囲である。
【００６９】
以上から、体積混合割合ｘは、ｘ１ｂ＜ｘ＜ｘ２ｂの範囲が好ましく、より好ましくはｘ１ａ＜ｘ＜ｘ２ａの範囲が好ましいが、例えば燃料２に２−メチルフランを混合した場合では、上記のようにｘ１ａ＝１５．９、ｘ１ｂ＝８．３、ｘ２ａ＝２４．７、ｘ２ｂ＝４８．０であるので、８．３＜ｘ＜４８．０の範囲が好ましく、より好ましくは１５．９＜ｘ＜２４．７の範囲である。
【００７０】
燃料２に２−メチルフランを混合した前記燃料組成では、前記混合割合の範囲において、燃料のオクタン価を高めると同時に吸気の冷却が適切な範囲で行なわれ、耐ノック性が効果的に向上し、しかも良好な始動性、特に低温環境下での始動性が得られた。
【００７１】
上記した一例では、２−メチルフランを用いた場合を中心に説明したが、２−メチルフラン以外の他のフラン化合物を用いた場合も同様である。また、燃料種についても前記燃料１〜燃料４を用いた場合を一例に示したが、これらの燃料以外の他の燃料種（ノルマルパラフィン系及び／又はイソパラフィン系を主成分とした燃料種）を用いた場合も同様である。
【図面の簡単な説明】
【００７２】
【図１】フラン化合物の混合割合とオクタン価との関係を説明するためのグラフである。
【図２】フラン化合物の混合割合とオクタン価向上度との関係を示すグラフである。
【図３】２−メチルフランを混合したときのｆ１（ｘ）〔オクタン価〕を示すグラフである。
【図４】オクタン価８０のパラフィン系１００％（イソオクタン８０体積％、ノルマルへプタン２０体積％）燃料に２−メチルフランを混合したときの吸入空気の温度変化を示すグラフである。
【図５】フラン化合物を含有しない通常の火花点火機関用の燃料使用時を基準とした場合の吸気温度の低下と低温時クランキング時間との関係を示すグラフである。
【図６】２−メチルフランを混合した場合のパラフィン系１００％燃料のオクタン価を示すグラフである。
【図７】２−メチルフランを混合したときのγとαとの関係を示すグラフである。
【図８】２−メチルフランを混合したときのγとβとの関係を示すグラフである。
【図１】
2009108129.tif 000015
【図２】
2009108129.tif 000016
【図３】
2009108129.tif 000017
【図４】
2009108129.tif 000018
【図５】
2009108129.tif 000019
【図６】
2009108129.tif 000020
【図７】
2009108129.tif 000021
【図８】
2009108129.tif 000022